(57)【要約】容器システム（１００）は、容器本体（２００）、及び蓋などの閉鎖システム（１１０）を含む。閉鎖システムは、子供などの意図されていないユーザーによる、容器内に保管された内容物へのアクセスを防止するためのロックシステム（１４０）を更に含んでもよい。
2019534216.tif 000002
【特許請求の範囲】
【請求項１】
容器システムであって、
保管スペースと、前記保管スペースへのアクセスを提供する開口部とを有する容器本体であって、
前記容器本体は、前記開口部を実質的に取り囲むリムを更に有し、
前記リムは上面を有する、容器本体と、
閉鎖システムであって、前記容器本体に接続可能であり、前記閉鎖システムが閉位置にあるときに前記開口部を覆うようにサイズ決め及び構成され、前記保管スペースへのアクセスを防止し、
前記閉鎖システムはロックシステムを備え、
前記ロックシステムが係合されているときに前記閉鎖システムは
前記閉位置に保持され、
前記ロックシステムが係合されていないときに前記閉鎖システムは前記閉位置から開位置に移動することができ、
前記閉鎖システムが前記容器本体に接続され、前記閉位置にあるとき、前記閉鎖システムは前記リムの前記上面を覆わない、閉鎖システムと、を備える、容器システム。
【請求項２】
前記容器本体が、前記リム内で終端する首部を備える、請求項１に記載の容器システム。
【請求項３】
前記リムが、半径方向内側に面する内側表面を含む、請求項１又は２に記載の容器システム。
【請求項４】
前記閉鎖システムは、前記容器本体に接続されたとき、前記リムの前記内側表面に対して半径方向内側に位置する、請求項１〜３のいずれか一項に記載の容器システム。
【請求項５】
前記閉鎖システムが外縁部を有し、前記外縁部は、前記閉鎖システムが前記容器本体に接続されるときに前記リムの前記内側表面に隣接する、請求項１〜４のいずれか一項に記載の容器システム。
【請求項６】
前記閉鎖システムは、前記閉位置から前記開位置に移動するとき、ヒンジを中心に移動する、請求項１〜５のいずれか一項に記載の容器システム。
【請求項７】
前記閉鎖システムがフレームと蓋とを備え、好ましくは、前記蓋は前記フレームにヒンジ連結されている、請求項１〜６のいずれか一項に記載の容器システム。
【請求項８】
前記ロックシステムが、ボタン、ラッチ、ねじシステム、スナップビード、又はこれらの組み合わせを備える、請求項１〜７のいずれか一項に記載の容器システム。
【請求項９】
前記ロックシステムは、前記ロックシステムを係合解除するために、好ましくは半径方向内側に押圧しなければならないプッシュパッド、好ましくは少なくとも２つのプッシュパッドを備える、請求項８に記載の容器システム。
【請求項１０】
前記閉鎖システムが、第１の部分と、前記第１の部分に非一体的に接続されている第２の部分とを備える、請求項１〜９のいずれか一項に記載の容器システム。
【請求項１１】
前記第１の部分が、前記ロックシステムを係合解除するために押圧しなければならないプッシュパッドを備える、請求項１０に記載の容器システム。
【請求項１２】
前記閉鎖システムは、前記ロックシステムを係合解除するために回転動作を必要とする、請求項１〜１１のいずれか一項に記載の容器システム。
【請求項１３】
リブ、ビード、タブ、スロット、又はこれらの組み合わせから選択されるスナップ式接続システムが、前記容器本体と前記閉鎖システムとを接続する、請求項１〜１２のいずれか一項に記載の容器システム。
【請求項１４】
前記容器システムが、前記保管スペース内に消費者製品、好ましくは家庭用ケア製品、好ましくは洗浄組成物、より好ましくは、単位用量物品の形態の洗浄組成物を更に備える、請求項１〜１３のいずれか一項に記載の容器システム。
【請求項１５】
容器本体と、前記容器本体に接続可能な閉鎖システムとを備える容器システムであって、
前記容器本体は、保管スペースと、前記保管スペースへのアクセスを提供する開口部と、前記開口部を実質的に取り囲む首部とを有し、
前記閉鎖システムは、前記閉鎖システムが閉位置にあるときに前記開口部を覆うようにサイズ決め及び構成され、それによって前記保管スペースへのアクセスを防止し、
前記閉鎖システムはロックシステムを更に備え、前記ロックシステムが係合されているときに前記閉鎖システムは前記閉位置に保持され、前記ロックシステムが係合されていないときに前記閉鎖システムは前記閉位置から開位置に移動することができ、
前記閉鎖システムが前記閉位置にあるとき、前記閉鎖システムの中心から離間している前記閉鎖システムの外縁部又は末縁部は、前記容器本体の前記首部に入れ子になっており、
前記閉鎖システムは、前記保管スペースに単位用量物品を更に備える、容器システム。
【発明の詳細な説明】
【技術分野】
【０００１】
本開示は、容器システム及びこのような容器システムに関連する方法に関する。
【背景技術】
【０００２】
容器システムは通常、容器本体と、蓋などの閉鎖システムとを含む。閉鎖システムは、子供などの意図しないユーザーによる、容器内に保管された内容物へのアクセスを防止するためのロックシステムを更に含んでもよい。
【０００３】
しかしながら、ロックシステム自体がアクセスを抑止するのに有効であるときでも、容器システムは時々、意思の強い個人によって開放される場合がある。例えば、蓋及び／又は閉鎖システムは、特に閉鎖システムが容器本体上にスナップ嵌めされ、例えばねじ山によって固定されていないときに、蓋及び／又は閉鎖システムの外縁部で引き上げることによって、合わせてこじ開けられてもよい。
【発明の概要】
【発明が解決しようとする課題】
【０００４】
改善された、安全な容器システムが必要とされている。
【課題を解決するための手段】
【０００５】
本開示は、容器システム及び関連する方法に関する。
【０００６】
例えば、本開示は、容器システムであって、保管スペースを有する容器本体と、保管スペースへのアクセスを提供する開口部とを含み、容器本体は、開口部を実質的に取り囲むリムを更に含み、リムは上面を有する、容器システムに関する。容器システムは更に、容器本体に接続可能であり、閉鎖システムが閉位置にあるときに開口部を覆うようにサイズ決め及び構成され、保管スペースへのアクセスを防止する閉鎖システムを含む。閉鎖システムはロックシステムを含み、ロックシステムが係合されているときに閉鎖システムは閉位置に保持され、ロックシステムが係合されていないときに閉鎖システムは閉位置から開位置に移動することができる。閉鎖システムが容器本体に接続され、閉位置にあるとき、閉鎖システムはリムの上面を覆わない。
【０００７】
本開示はまた、容器システムを組み立てる方法に関する。方法は、本明細書に記載の容器本体を提供する工程と、本明細書に記載の閉鎖システムを提供する工程と、閉鎖システムが閉位置にあるときに閉鎖システムがリムの上面を覆わないように、閉鎖システムと容器本体とを接続する工程とを含む。
【０００８】
本開示は更に、容器本体と、容器本体に接続可能な閉鎖システムとを含む容器システムであって、容器本体は、保管スペースと、保管スペースへのアクセスを提供する開口部と、開口部を実質的に取り囲む首部とを有し、閉鎖システムは、閉鎖システムが閉位置にあるときに開口部を覆うようにサイズ決め及び構成され、それによって保管スペースへのアクセスを防止し、閉鎖システムはロックシステムを更に含み、ロックシステムが係合されているときに閉鎖システムは閉位置に保持され、ロックシステムが係合されていないときに閉鎖システムは閉位置から開位置に移動することができ、閉鎖システムが閉位置にあるとき、閉鎖システムの中心から離間している閉鎖システムの外縁部又は末縁部は、容器本体の首部の入れ子になっており、閉鎖システムは、保管スペースに単位用量物品を更に備える、容器システムに関する。
【図面の簡単な説明】
【０００９】
本明細書の図面は、事実上例示的なものであり、制限的であることを意図したものではない。
【図１】本開示による容器システムの上面斜視図を示す。
【図２】本開示による容器本体の上面斜視図を示す。
【図３】図２の線Ａ−Ａに沿って取った側面断面図を示す。
【図４】円Ｂによって強調された図３の部分の拡大図を示す。
【図５】本開示による閉鎖システムを示す。
【図６】本開示による閉鎖システムの分解図を示す。
【図７】本開示による容器システムの正面図を示す。
【図８】図７のＣ−Ｃ線に沿って取った側面断面図の一部を示す。
【図９】円Ｄによって強調された図８の部分の拡大図を示す。
【図１０】本開示による単位用量物品を示す。
【発明を実施するための形態】
【００１０】
本開示は、容器本体と、ロックシステムを含む閉鎖システムとを含む、容器システムに関する。閉鎖システムは、容器本体のリムに対して差し込まれている（又はその中に入れ子になっている）。そのような構成では、閉鎖システムの末縁部は効果的に隠されており、容易にアクセスすることができない。したがって、蓋を容易にこじ開けることができず、容器システムの安全性が向上する。
【００１１】
更に閉鎖システムは、容器の壁のリム及び／又は外面に対して比較的内側にあってもよい。この構成において、ロックシステムは、例えば搬送中にぶつかることによって偶発的又は意図しない状況で係合解除されたり、又は閉鎖システムを容器本体からこじ開けるためのてこ作用点として使用されたりする可能性が低い。
【００１２】
本開示の容器システムはまた、例えば容器システムが店の棚に設置されているときに消費者から見て、壁全体を商業用、安全用、又は説明メッセージ用に使用できるので、容器の壁上の追加の「ビルボード」スペースから利益を得る。これを以前の容器と比較してみると、閉鎖システムは容器本体のリム又は首部に比べて差し込まれておらず、また容器本体の上部に掛けられていないため、メッセージに使用可能なスペースが最小限になる。容器システムはまた、システムに対する滑らかで一貫性のある外観が達成されるので、改善された美観からも利益を得る。
【００１３】
本開示の容器システム及びそれに関連する方法は、以下により詳細に記載される。
【００１４】
本明細書で使用するとき、特許請求の範囲で使用されるときの「ａ」及び「ａｎ」という冠詞は、特許請求又は記載されているもののうちの１つ又は２つ以上を意味すると理解される。本明細書で使用するとき、「含む（include）」、「含む（includes）」、及び「含んでいる（including）」という用語は、非限定的であることを意味する。本開示の組成物は、本開示の成分を含み、それらから本質的になり、又はそれらからなることができる。
【００１５】
本明細書では、「実質的に含まない（substantially free of）」又は「実質的に含まない（substantially free from）」という用語が使用され得る。これは、指示される材料が最小限の量であり、組成物の一部を形成するように意図的にその組成物に添加されたものでないこと、又は、好ましくは、分析的に検出可能な濃度で存在しないことを意味する。それは、指示される材料が意図的に含まれる他の材料のうちの１つの中に不純物としてのみ存在する、組成物を含むことを意味する。指示される材料は、あったとしても、組成物の１重量％未満、又は０．１重量％未満、又は０．０１重量％未満、又は更には０重量％のレベルで存在してもよい。
【００１６】
本明細書で使用するとき、「柔軟剤布地ケア組成物」という語句は、布地処理用に設計された組成物及び配合物を含む。かかる組成物は、洗濯洗浄組成物及び洗剤、布地柔軟化組成物、布地強化組成物、布地消臭組成物、予洗い用洗剤（laundry prewash）、洗濯前処理剤、洗濯添加剤、スプレー製品、ドライクリーニング剤若しくは組成物、洗濯すすぎ添加剤、洗浄添加剤、すすぎ後布地トリートメント、アイロン助剤、単位用量配合物、遅延送達配合物、多孔性基材若しくは不織布シート上又は中に含有される洗剤、及び本明細書の教示を考慮すると当業者に明白であり得る他の好適な形態を含む、これらに限定されない。かかる組成物を、洗濯前処理剤、洗濯後処理剤として使用してもよく、あるいは洗濯動作のすすぎ又は洗浄サイクル中に加えてもよい。
【００１７】
別途記載のない限り、成分又は組成物の濃度は全て、当該成分又は組成物の活性部分に関するものであり、かかる成分又は組成物の市販の供給源に存在し得る不純物、例えば、残留溶媒又は副生成物は除外される。
【００１８】
本明細書における全ての温度は、特に断らない限り、摂氏（℃）を単位とする。特に指示がない限り、本明細書における全ての測定は、２０℃及び大気圧下で行う。
【００１９】
本開示の全ての実施形態において、全ての比率（％）は、特に記載のない限り、全組成物の重量に対するものである。特に記載のない限り、全ての比は重量比である。
【００２０】
本明細書の全体を通して記載される全ての最大数値限定は、それよりも小さい全ての数値限定を、かかるより小さい数値限定があたかも本明細書に明確に記載されているかのように包含するものと理解すべきである。本明細書の全体を通して記載される全ての最小数値限定は、それよりも高い全ての数値限定を、かかるより高い数値限定があたかも本明細書に明確に記載されているかのように包含する。本明細書の全体を通して記載される全ての数値範囲は、かかるより広い数値範囲内に入るより狭い全ての数値範囲を、かかるより狭い数値範囲が全てあたかも本明細書に明確に記載されているかのように包含する。
【００２１】
容器システム
本開示は容器システムに関する。図１は、本開示による例示的な容器システム１００を示す。容器システム１００は、容器本体２００と閉鎖システム１１０とを含む。容器本体２００は、保管スペース２１０を含む。閉鎖システム１１０は閉位置にあり、それによって保管スペース２１０へのアクセスを防止する。
【００２２】
図２は、容器本体２００を示す。容器本体２００は、保管スペース２１０と保管スペース２１０へのアクセスを提供する開口部２４０とを有する。保管スペース２１０は、例えば、約３００ｍＬから、又は約５００ｍＬから、又は約７５０ｍＬから、又は約１Ｌから、約５Ｌまで、又は約４Ｌまで、又は約３Ｌまで、又は約２Ｌまで、又は約１．５Ｌまで任意の適切な容積を有してもよい。
【００２３】
開口部２４０は、任意の適切なサイズ及び／又は形状を有していてもよい。消費者製品などの内容物を容器本体に充填するのを容易にするために、より大きな開口部が望ましい場合がある。
【００２４】
容器本体２００は、保管スペース２１０を画定する１つ又は複数の壁を有する任意の適切な形状を有してもよい。容器２００は、前壁２２４、後壁２２５、側壁２２２、２２３、及び底壁２２０を有してもよい。壁は、保管スペース２１０に面する内面２６５を有してもよい。壁は、保管スペースから離れる側に向き、内面２６５の反対側にある、外面２６６を有してもよい。
【００２５】
容器本体２００は、開口部２４０を実質的に取り囲むリム２３２を有してもよい。リム２３２の形状は、典型的には開口部２４０の形状に従うが、異なる形状を有してもよい。リム２３２は、容器本体２００の開口部の周りで連続的又は不連続的であってもよい。例えば、リム２３２は、ヒンジ１２０を収容するために、特定の部分で不連続的であってもよい。
【００２６】
容器本体２００は、閉鎖システム１１０の容器本体２００への接続を容易にする接続機構２５０を含んでもよい。接続機構２５０は、リブ、ビード、ねじ山、タブ、スロット、又はこれらの組み合わせから選択されてもよい。接続機構２５０は、フレーム３００又は蓋１０４上に位置するタブ３３２を受容するように構成され得るスロット２５２、２５３であってもよい。本体２００は、複数の接続機構２５０を備えてもよい。複数は、異なるサイズを有する接続機構２５０を含み得る。例えば、複数の接続機構２５０は、複数のスロット２５２、２５３を含み得る。複数のスロットは、少なくとも１つの主スロット２５２及び少なくとも１つの副スロット２５３を含んでもよく、主スロット２５２は、少なくとも１つの副スロット２５３よりも大きい。
【００２７】
本体２００は、少なくとも２つ、少なくとも３つ、又は少なくとも４つの主スロット２５２などの複数の主スロット２５２を備えてもよい。主スロット２５２は、本体２００の角部に実質的に配置されてもよい。本体２００は、少なくとも２つ、少なくとも３つ、少なくとも４つ、少なくとも５つ、少なくとも６つ、少なくとも７つ、又は少なくとも８つ、又は少なくとも９つの副スロット２５３などの複数の副スロット２５３を備えてもよい。典型的には、フレーム３００又は蓋１０４は、スロット２５２、２５３の数が増加するにつれて、本体２００によりしっかりと取り付けられる。
【００２８】
本体２００は、接続機構２５０を含まなくてもよい、又は接続機構２５０と組み合わせて使用されてもよい他の手段を介してフレーム３００及び／又は蓋１０４に接続されてもよい。例えば、本体２００は、溶接、例えば超音波溶接によって、又は接着剤によって、フレーム３００及び／又は蓋１０４に接続されてもよい。
【００２９】
図３は、図２の線Ａ−Ａで取り、矢印で示すように見た、容器本体２００の断面図を示す。図３に見られるように、底壁２２０は凹状であってもよく、容器本体２００の保管スペース２１０に向かって延在してもよい。容器本体２００はまた、追加の支持及び剛性を提供するために、容器本体の内部に支持構造体２６０を含んでもよい。
【００３０】
図４は、図３の円Ｂで強調されたセクションの拡大図を示す。容器本体２００は、壁の末端部２２６に内側肩部２６７を含んでもよい。本体２００は棚部２７０を含んでもよく、棚部２７０の第１の端部２７１は、肩部２６７で壁の末端部２２６に接続されている。棚部２７０は、閉鎖システム１１０が本体２００に接続されたときに、閉鎖システム１１０の少なくとも一部分のための静止又は支持表面として機能することができる。
【００３１】
棚部２７０は、リム２３２に接続された第２の端部２７２を含んでもよい。棚部２７０は、第１の端部２７１から第２の端部２７２まで測定される長さ２７３を有してもよい。棚部２７０の長さ２７３は、容器の開口部２４０の周囲の様々な点で一貫していてもよく、又は異なる点で異なる長さを有してもよい。充填、包装、及び／又は搬送プロセス中に有用であり得る、より大きな把持又は持ち上げ表面を人又は機械に提供するために、棚部２７０は、角部から離れた部分と比較して、容器本体２００の角部２８０においてより長い長さを有することが望ましい場合がある。
【００３２】
容器本体２００は、１つ以上の壁２２２、２２３、２２４、２２５の末端部２２６、肩部２６７及び／又は棚部２７０を備え得る首部２３０を有してもよい。首部２３０は、リム２３２で終端してもよい。首部２３０は、保管スペース２４０へのアクセスを通じて到達することができる。
【００３３】
図４に見られるように、リム２３２は上面２７５を有してもよい。リム２３２の上面２７５は、例えば、容器本体２００の底壁２２０から離れる方向に上向きに面していてもよい。リム２３２の上面２７５は、リム２３２の近位端２７８で容器本体２００に接続されるか、好ましくは一体的に接続されてもよい。上面は、近位端２７８と反対側のリム２３２の遠位端２７９にあってもよい。リム２３２は、例えば開口部２４０に向かって半径方向内側に面する内側表面２７６を含んでもよい。リム２３２は、例えば開口部２４０から離れて半径方向外側に面する外側表面２７７を含んでもよい。
【００３４】
容器本体２００は、リム２３２から離れて、例えば、容器本体２００の底壁２２０によって形成された平面に向かって下方に延在するフランジ２８０を含んでもよい。フランジ２８０は、容器本体２００の周囲で連続的又は不連続的であってもよい。フランジ２８０の内面２８１は、壁２２４の外面２８２に面してもよい。壁２２４、棚部２７０、及びフランジ２８０は、スペース２８３を画定し得る。フランジ２８０は、例えばタブ３３２、３３３を覆うことによって、容器システム１００の接続機構２５０及び／又は接続構造体３３０を保護し、容器２００から閉鎖システム１１０が係合解除することにつながり得る内側又は外側を防止するために有用であり得る。フランジ２８０はまた、例えば、タブ３３２、３３３又は支持構造体を覆うことによって、美的利益を提供することができる。
【００３５】
図５は、本開示による閉鎖システム１１０を示す。閉鎖システム１１０は、開位置及び閉位置を有してもよい。閉鎖システム１１０は、閉位置から開位置に移動するとき、ヒンジ１２０を中心に移動してもよい。閉鎖システム１１０は、閉鎖システム１１０の中心から半径方向に離れている外縁部３２０を有してもよい。
【００３６】
閉鎖システム１１０は、容器本体２００に接続可能であってもよい。閉鎖システム１１０は、典型的には、閉鎖システム１１０が本体２２０に接続され、閉位置にあるとき、開口部２４０を覆うようにサイズ決め及び構成される。閉鎖システム１１０は、閉鎖システム１１０を本体２００に固定するために、容器本体２００の接続機構２５０に相補的な接続構造体３３０を含んでもよい。接続構造体３３０は、フレーム３００の外周３２０に、又はその近くに位置してもよい。接続構造体３３０は、本体２００に向かって実質的に軸方向下方に延在してもよい。
【００３７】
接続構造体３３０は、任意の好適な構成のものであってよい。接続構造体３３０は、リブ、ビード、ねじ山、タブ、スロット、又はこれらの組み合わせから選択されてもよい。接続構造体３３０は、本体２００の接続機構２５０に接続可能、例えばその接続機構２５０によって受容可能であるように構成されてもよい。
【００３８】
閉鎖システム１１０は、容器本体２００上に「スナップ嵌め」することが可能であり得る。換言すれば、スナップ式接続システムは、容器本体と閉鎖システムとを接続してもよい。このようなスナップ式接続システムは、リブ、ビード、タブ、スロット、又はこれらの組み合わせを含んでもよい。容器本体（ねじ込みではなく、又は溶接されるのではなく）上に「スナップ」する閉鎖システム１１０は、特に、こじ開けられやすく、したがって本明細書に記載される改善から利益を得ることができる。
【００３９】
接続構造体３３０の少なくとも一部又は全ては、タブ３３２、３３４の形態であってもよい。タブ３３２、３３４は、本体２００のスロット２５２、２５３によって受容可能であるようにサイズ決め及び構成されてもよい。タブ３３２、３３４は、本体２００のスロット２５２、２５３を通過するときに撓曲され、次いでその元の位置に戻ることによってタブ３３２、３３４を定位置にロックすることができる弾性材料で作製されてもよい。接続構造体３３０は、主タブ３３２及び副タブ３３４を備えてもよい。閉鎖システム１１０が容器本体２００に接続されるとき、主タブ３３２は主スロット２５２によって受容されてもよく、及び／又は副タブ３３４は、副スロット２５３によって受容されてもよい。
【００４０】
図６は、本開示による閉鎖システム１１０の分解図を示し、ここで閉鎖システム１１０は開位置にある。閉鎖システム１１０は、フレーム３００と蓋１０４を含んでもよい。蓋１０４は、例えばヒンジ１２０によってフレーム３００にヒンジ連結されてもよい。蓋１０４は、フレーム３００にねじ式で接続されてもよい。蓋１０４は、フレーム３００に一体的に接続されてもよく、これらは、１つの部品として成形されてもよい。蓋１０４は、第１の部分４００と第２の部分５００とを含んでもよい。第１の部分４００は、第２の部分５００に非一体的に接続されてもよい。第１の部分４００は、ダイヤルの形態であってもよく、第２の部分５００はカバーの形態であってもよい。
【００４１】
フレーム３００は、閉鎖システム１１０が容器本体２００に接続されているときに、容器本体２００の開口部２４０と実質的に位置合わせされる開口部３１０を含んでもよい。閉位置において、蓋１０４は、フレーム３００の開口部３１０を覆うことができ、それによって容器本体２００の保管スペース２１０へのアクセスを防止することができる。開位置において、蓋１０４は、フレーム３００の開口部３１０から、例えば１つ以上のヒンジ１２０を揺動することによって取り外され、それによって保管スペース２１０へのアクセスを可能にする。
【００４２】
閉鎖システム１１０は、ばね又は弾性インサートなどの付勢手段１３０を含んでもよく、特にロックシステム１４０が係合解除されたときに、閉鎖システム１１０の少なくとも一部分、例えば蓋１０４を開位置へと付勢する。付勢手段１３０は、熱可塑性エラストマーを含み得る弾性インサート１３２であってもよい。インサート１３２は、フレーム３００及び／又は蓋１０４に第２のショットと共成形されるか、又は第２のショットで成形されてもよい。
【００４３】
閉鎖システム１１０はロックシステム１４０を備えてもよい。ロックシステム１４０が係合されているとき、閉鎖システム１１０は閉位置に保持される。ロックシステム１４０が係合されていない（例えば、係合位置から係合解除位置へ移動される）とき、閉鎖システム１１０は、閉位置から開位置に移動され得る。
【００４４】
閉鎖システム１１０は、ロックシステム１４０を係合解除するために回転動作を必要とし得る。第１の部分４００（例えば、ダイヤル）は、第２の部分５００（例えば、カバー）に対して回転されてもよい。回転動作は、ラッチをキャッチから係合解除することができる。ラッチは、例えば第１の部分４００上の蓋１０４上に位置してもよく、キャッチは、フレーム３００上に位置してもよい。代わりに、キャッチは、容器本体２００上に位置してもよい。
【００４５】
閉鎖システム１００は、ロックシステム１４０を係合解除するために押圧動作を必要とし得る。ロックシステム１４０は、ロックシステム１４０を係合解除するために押圧しなければならないプッシュパッド４１０、好ましくは少なくとも２つのプッシュパッド４１０、４１１を備えてもよい。プッシュパッド４１０、４１１は、ロックシステム１４０を係合解除するために、半径方向内側に押圧する必要があり得る。パッド４１０、４１１を押すことにより、ロックシステム１４０を直接係合解除してもよく、又はロックシステム１４０を係合解除する第２の動作、例えば回転を可能にしてもよい。
【００４６】
ロックシステム１４０は、ロックシステム１４０を係合解除するために、押圧動作及び回転動作の両方を必要とし得る。例えば、プッシュパッド４１０、４１１を例えば半径方向内側に押圧することにより、さもなければ回転を阻止する閉鎖システムのノッチ又は他のブロック構造を取り除くことを可能にし得るが、しかしながら、いったんノッチ又はブロック構造から離れて移動すると、ロックシステム１４０は回転されてもよく、これはラッチをキャッチから係合解除することができ、それによって、閉鎖システム１１０の少なくとも一部分、例えば蓋１０４を開位置に移動させることが可能である。
【００４７】
図７は、本開示の例示の容器システム１００の正面図を示す。閉鎖システム１１０は、容器本体２００に接続され、閉位置にある。図７に示されるように、閉鎖システム１１０は、容器本体２００のリム２３２を越えて延在せず、かつ／又はリム２３２の上面２７５を覆わない。実際には、容器本体２００のリム２３２と比較して、閉鎖システム１１０は半径方向内側に位置付けられる。閉鎖システム１１０の部分は、リム２３２によって形成された平面の軸方向上方にある平面まで延在し得るが、閉鎖システム１１０の外縁部、末縁部３２０は容易にアクセス可能ではなく、容器２００の首部２３０及び／又はリム２３２内に入れ子になっている。
【００４８】
図８は、線Ｃ−Ｃで取り、矢印によって示されるように見た、図７の容器システム１００の断面図の一部分を示す。閉鎖システム１１０、例えば、フレーム３００は、閉鎖システム１１０が容器本体２００に接続されているときに保管スペース２１０内に延在する支持リブ３２３を含んでもよい。
【００４９】
図９は、図８の円Ｄで強調されたセクションの拡大図を示す。図９に示すように、閉鎖システム１００は、容器本体２００のリム２３２の上面２７５を覆わない。より具体的には、フレーム３００の一部であり得る閉鎖システム１１０の外縁部３２６は、リム２３２の内側表面２７６に隣接している。しかしながら、外縁部３２６はリム２３２を越えて延在せず、又はリム２３２の上面２７５を覆わない。したがって、閉鎖システム１１０の外縁部３２６は容易にアクセス可能ではなく、閉鎖システム１１０は容易にこじ開けることができない。
【００５０】
図９に示すように、閉鎖システム１１０の外縁部３２６は、閉鎖システム１１０のフランジ３６０の遠位端３６１に位置する。フランジ３６０は、閉鎖システム１１０が容器本体２００に接続されたときに容器本体２００の棚部２７０に面する底面３６２を有してもよい。底面３６２は、棚部２７０上に載置されてもよい。
【００５１】
フランジ３６０は上面３６３を有してもよい。フランジ３６０の上面３６３、特にフランジ３６０の遠位端３６１付近は、リム２３２の上面２７５によって形成された平面よりも軸方向に高くない平面を形成してもよい。しかしながら、閉鎖システム１１０の他の部分は、リムによって形成された平面の上で軸方向に上昇し得ることが認識される。とはいえ、閉鎖システム１１０の末縁部又は外縁部３２６は容易にアクセス可能ではないので、閉鎖システム１１０を容器本体２００から引き離す又はこじ開けるのに十分なしっかりしたグリップ又はてこ作用を確保することは困難である。
【００５２】
本開示の容器システム１００は、容器本体２００と、容器本体２００に接続可能な閉鎖システム１１０とを含んでもよく、容器本体２００は、保管スペース２１０、保管スペース２１０へのアクセスを提供する開口部２４０、並びに開口部２４０を実質的に取り囲む首部２３０及び／又はリム２３２を有し、閉鎖システム１１０は、閉鎖システム１１０が閉位置にあるときに開口部２４０を覆うようにサイズ決め及び構成され、それによって保管スペース２１０へのアクセスを防止し、閉鎖システムは、ラッチ及びキャッチなどのロックシステム１４０を更に含み、ロックシステム１４０が係合されているときに閉鎖システム１１０は閉位置に保持され、ロックシステム１４０が係合されていないときに閉鎖システム１４０は閉位置から開位置に移動することができ、閉鎖システム１１０が閉位置にあるとき、閉鎖システム１１０の中心から離間している閉鎖システム１１０の外縁部又は末縁部３２６は、容器本体２００の首部２３０及び／又はリム２３２内に入れ子にされ（例えば、外縁部又は末縁部３２６は、首部２３０及び／又はリム２３２に対して半径方向内側に離間配置されている）、容器システム１００は、保管スペース２１０内に単位用量物品６００を含んでもよい。
【００５３】
内容物
容器システム１１０は、保管スペース内に任意の適切な材料又は組成物を更に備えてもよい。典型的な材料及び組成物としては、布地ケア処理、硬質表面洗浄剤、石鹸、シャンプー、コンディショニング剤、殺虫剤、塗料、溶媒、工業用化学物質、工業用ハードウェア（例えば、釘、ねじなど）、薬剤、ピル、食品などが挙げられるが、これらに限定されない。材料は、感水性材料であってもよく、これは、材料が、液体水又は水蒸気に曝されたときに溶解又は分解する傾向を有することを意味する。材料は、消費者製品、好ましくは家庭用ケア製品、好ましくは洗浄組成物、より好ましくは、単位用量物品の形態の洗浄組成物であってもよい。
【００５４】
有用な組成物の非限定的な例としては、軽質及び重質液体洗剤組成物、硬質表面洗浄用組成物（自動食器洗い機での使用を意図した組成物を含む食器用ケア組成物など）、洗濯に広く使用されている洗剤ジェル、漂白及び洗濯用添加剤、シャンプー、ボディソープ、並びに他のパーソナルケア組成物が挙げられる。組成物は、液体、ゲル、固体、単位用量物品、又はこれらの混合物の形態をとることができる。液体組成物は、固体を含んでいてもよい。固体は、マイクロカプセル、ビーズ、ヌードル、若しくは１つ以上の真珠色のボール、又はこれらの混合物などの、粉末又は凝集物を含み得る。このような固体要素は、洗浄を通して、又は前処理、遅延、若しくは順次放出成分として技術的利点をもたらし得る。追加的又は代替的に、固体要素は、審美的効果を提供し得る。
【００５５】
いくつかの態様では、組成物は、以下の成分の非限定的リスト、乳白剤、酸化防止剤、布地ケア有益剤、洗浄酵素、沈着助剤、レオロジー変性剤、ビルダー、漂白剤（bleaching agent）、漂白剤前駆体、漂白触媒、キレート剤、香料、白色剤、パールエッセンス剤酵素安定剤系、アニオン性染料の固着剤を含む除去剤、アニオン性界面活性剤の錯化剤、及びこれらの混合物、任意の漂白剤又は蛍光剤、汚れ放出ポリマー、分散剤、抑泡剤、染料、着色剤、トルエンスルホネート、キュメンスルホネート、及びナフタレンスルホネートなどのヒドロトロープ、カラー粒子、着色ビーズ、球体、又は押出物、粘土柔軟化剤、腐食防止剤及び／又は変色防止剤、すすぎ補助剤のうちの１種類以上を含んでもよい。付加的又は代替的に、組成物は、界面活性剤及び／又は溶媒系を含んでもよい。
【００５６】
組成物は、自由流動性の粒状又は粉末状の組成物などの、すくい取ることができる流動性組成物であってもよい。そのような場合、容器システム１００は、容器システム１００に適合し、かつすくい取り可能な組成物をすくい取るように適合されたすくいを更に備えてもよい。
【００５７】
本明細書に記載される容器システム１００は、物品６００の形態で組成物を収容するのに特に有用である。図１０は、単位用量物品６００の例を示す。物品６００は、成人の手で把持されるのに適切であり得る。そのような物品６００は、約１０ｍｍ〜約１００ｍｍ、又は約２０ｍｍ〜約７０ｍｍ、又は約３５ｍｍ〜約５５ｍｍ、又は約４０ｍｍ〜約５０ｍｍの物品幅６０２を有し得る。物品６００が矩形の形状である場合、物品幅６０２は、２つの平行な側部間の最大距離として測定される。物品６００が可変幅を有する場合、物品幅６０２はそのような幅の平均値である。そのような物品６００は、約１０ｍｍ〜約１００ｍｍ、又は約１５ｍｍ〜約７０ｍｍ、又は約２０ｍｍ〜約５０ｍｍ、又は約２５ｍｍ〜約３５ｍｍの高さを有し得る。物品６００が可変高さを有する場合、物品の高さは物品の最大の高さで測定される。
【００５８】
典型的には、本明細書に記載される容器システム１００は、典型的には洗浄組成物、より典型的には洗濯洗剤又は硬質表面処理組成物の単位用量の組成物の（例えば、１５、２５、５０、６６、７７などの数量の）物品６００を含有するのに有用である。単位用量物品６００はパウチであってもよい。パウチは、ＭｏｎｏＳｏｌ，ＬＬＣから入手可能なものを含む、ポリビニルアルコールフィルムなどの水溶性フィルム６２０から形成されてもよい。フィルム６２０は、組成物を区画に封入してもよい。パウチは単一の区画であってもよく、又は複数の区画６３０、６４０、６５０を備えてもよい。
【００５９】
パウチは、パウチの外部から視認可能な多様な色を有し得る様々な組成物を収容してもよい。多区画パウチは、それぞれ個々の区画に同じ又は異なる組成物を収容することができる。区画は、並んでいてもよく、又は重なり合ってもよく、例えば、１つ又は２つのより小さい区画６４０、６５０が１つのより大きい区画６３０に重ねて置かれてもよい。この多区画機構は、不適合な成分（例えば、漂白剤と酵素）を含有する組成物を互いから物理的に分離し、又は仕切って保持するのに用いることができる。このような仕切りは、このような成分の耐用年数を延ばし、及び／又は物理的不安定性を低減できると考えられる。
【００６０】
単位用量物品６００の組成物は、典型的には、低濃度の水を有する。いくつかの態様において、組成物６００は、組成物６００の約５０重量％未満、又は約３０重量％未満、又は約２０重量％未満、又は約１５重量％未満、又は約１２重量％未満、又は約１０重量％未満、又は約８重量％未満、又は約５重量％未満、又は約２重量％未満の水を含む。いくつかの態様において、組成物６００は、組成物６００の約０．１重量％〜約２０重量％、又は約１重量％〜約１２重量％、又は約５重量％〜約１０重量％の水を含む。
【００６１】
方法
本開示は、本明細書に記載される容器システムのいずれかなどの容器システム１００を組み立てる方法に関する。例えば、方法は、保管スペース２１０と、保管スペース２１０へのアクセスを提供する開口部２４０とを有する容器本体２００を提供する工程を含んでもよい。容器本体２００は、開口部２４０を実質的に取り囲むリム２３２を更に有してもよい。リム２３２は、上面を有してもよい。適切な容器本体２００の更なる特徴は、上記に記載されている。
【００６２】
方法は、容器本体２００に接続可能な閉鎖システム１１０を提供する工程を更に含んでもよい。閉鎖システム１１０は、閉鎖システム１１０が閉位置にあるときに開口部２４０を覆うようにサイズ決め及び構成されてもよく、保管スペース２１０へのアクセスを防止する。閉鎖システム１１０は、ロックシステム１４０を含んでもよい。ロックシステム１４０が係合されているとき、閉鎖システム１１０は閉鎖状態に保持される。ロックシステム１４０が係合されていないとき、閉鎖システム１１０は、閉位置から開位置に移動され得る。
【００６３】
方法は、閉鎖システム１１０が容器本体２００に接続され、閉位置にあるとき、閉鎖システム１００がリム２３２の上面２７５を覆わないように、閉鎖システム１１０と容器本体２００とを接続する工程を更に含んでもよい。
【００６４】
方法は、容器本体２００の保管スペース２１０に内容物を提供する工程を更に含んでもよい。典型的な材料及び組成物としては、布地ケア処理、硬質表面洗浄剤、石鹸、シャンプー、コンディショニング剤、殺虫剤、塗料、溶媒、工業用化学物質、工業用ハードウェア（例えば、釘、ねじなど）、薬剤、ピル、食品などが挙げられるが、これらに限定されない。材料は、感水性材料であってもよく、これは、材料が、液体水又は水蒸気に曝されたときに溶解又は分解する傾向を有することを意味する。材料は、消費者製品、好ましくは家庭用ケア製品、好ましくは洗浄組成物、より好ましくは、上述の単位用量物品６００の形態の洗浄組成物であってもよい。
【００６５】
保管スペース２１０に内容物を提供する工程は、閉鎖システム１１０が容器本体２００に接続される前に起こり得ることがあり、これは、容器本体の開口部２４０が容器システム１１０のフレーム３００の開口部３１０よりも大きい可能性が高いため、好ましい場合がある。
【００６６】
保管スペース２１０に内容物を提供する工程は、閉鎖システム１１０が容器本体２００に接続された後に起こり得ることがあり、これは、例えば、本体２００及び閉鎖システム１１０が、充填プロセスとは異なる時間及び／又は場所で（すなわち、包装製造業者によって）組み立てられるときに好ましい場合がある。そのような場合、閉鎖システム１１０は、充填が行われるときに開位置にある。閉鎖システム１１０は、閉位置に移動されてもよく、ロックシステム１４０は、充填工程が完了されたときに係合されてもよい。
【００６７】
本開示は更に、容器システム１００の内容物にアクセスする方法に関する。本開示による容器システム１００が提供されてもよい。ロックシステム１４０は係合解除されてもよく、閉鎖システム１１０は閉位置から開位置に移動されてもよい。消費者製品などの内容物は、容器本体２００の保管スペース２１０から除去されてもよい。閉鎖システム１１０は、開位置から閉位置に移動されてもよい。閉鎖システム１１０は、クリックのような可聴信号などの信号を提供して、閉鎖システム１００が適切に閉じられていることをユーザーに知らせることができる。消費者製品は、家庭用ケア製品、好ましくは洗浄組成物、より好ましくは単位用量物品６００の形態の洗浄組成物であってもよい。製品は、自動食器洗浄機又は自動洗濯機などの、製品の使用目的に適したマシンに提供されてもよい。
【００６８】
組み合わせ
本開示の具体的に想到される組み合わせを、ここで以下のアルファベットを付した段落に記載する。これらの組み合わせは、事実上例示的なものであり、制限的であることを意図したものではない。
【００６９】
Ａ．容器システムであって、保管スペースと、保管スペースへのアクセスを提供する開口部とを有する容器本体であって、容器本体は、開口部を実質的に取り囲むリムを更に有し、リムは上面を有する、容器本体と、閉鎖システムであって、容器本体に接続可能であり、閉鎖システムが閉位置にあるときに開口部を覆うようにサイズ決め及び構成され、保管スペースへのアクセスを防止し、閉鎖システムはロックシステムを備え、ロックシステムが係合されているときに閉鎖システムは閉位置に保持され、ロックシステムが係合されていないときに閉鎖システムは閉位置から開位置に移動することができ、閉鎖システムが容器本体に接続されて、閉位置にあるとき、リムの上面を覆わない、閉鎖システムと、を備える、容器システム。
Ｂ．容器本体が、リム内で終端する首部を備える、パラグラフＡに記載の容器システム。
Ｃ．リムが、半径方向内側に面する内側表面を含む、段落Ａ又はＢに記載の容器システム。
Ｄ．閉鎖システムは、容器本体に接続されたとき、リムの内側表面に対して半径方向内側に位置する、段落Ａ〜Ｃのいずれか１つに記載の容器システム。
Ｅ．閉鎖システムが外縁部を有し、外縁部は、閉鎖システムが容器本体に接続されているときにリムの内側表面に隣接する、段落Ａ〜Ｃのいずれか１つに記載の容器システム。
Ｆ．閉鎖システムが、閉位置から開位置に移動するとき、ヒンジを中心に移動する、段落Ａ〜Ｅのいずれか１つに記載の容器システム。
Ｇ．閉鎖システムがフレームと蓋とを備える、段落Ａ〜Ｆのいずれか１つに記載の容器システム。
Ｈ．蓋が、フレームにヒンジ連結されている、段落Ｇに記載の容器システム。
Ｉ．ロックシステムが、ボタン、ラッチ、ねじシステム、スナップビード、又はこれらの組み合わせを備える、段落Ａ〜Ｈのいずれか１つに記載の容器システム。
Ｊ．ロックシステムは、ロックシステムを係合解除するために押圧しなければならないプッシュパッド、好ましくは少なくとも２つのプッシュパッドを備える、段落Ｉに記載の容器システム。
Ｋ．プッシュパッド、好ましくは少なくとも２つのプッシュパッドが、半径方向内側に押圧されなければならない、段落Ｊに記載の容器システム。
Ｌ．閉鎖システムが、第１の部分と、第１の部分に非一体的に接続されている第２の部分とを備える、段落Ａ〜Ｋのいずれか１つに記載の容器システム。
Ｍ．第１の部分が、ロックシステムを係合解除するために押圧しなければならないプッシュパッドを備える、段落Ｌに記載の容器システム。
Ｎ．閉鎖システムは、ロックシステムを係合解除するために回転動作を必要とする、段落Ａ〜Ｍのいずれか１つに記載の容器システム。
Ｏ．リブ、ビード、タブ、スロット、又はこれらの組み合わせから選択されるスナップ式接続システムが、容器本体と閉鎖システムとを接続する、段落Ａ〜Ｎのいずれか１つに記載の容器システム。
Ｐ．容器システムが、保管スペース内に消費者製品、好ましくは家庭用ケア製品、好ましくは洗浄組成物、より好ましくは、単位用量物品の形態の洗浄組成物を更に備える、段落Ａ〜Ｏのいずれか１つに記載の容器システム。
Ｑ．容器システムを組み立てる方法であって、方法は、保管スペースと、保管スペースへのアクセスを提供する開口部とを有する容器本体を提供する工程であって、容器本体は、開口部を実質的に取り囲むリムを更に有し、リムは上面を有する、工程と、閉鎖システムを提供する工程であって、容器本体に接続可能であり、閉鎖システムが閉位置にあるときに開口部を覆うようにサイズ決め及び構成され、保管スペースへのアクセスを防止し、閉鎖システムはロックシステムを備え、ロックシステムが係合されているときに閉鎖システムは閉状態に保持され、ロックシステムが係合されていないときに閉鎖システムは閉位置から開位置に移動することができる、工程と、閉鎖システムが容器本体に接続され、閉位置にあるとき、閉鎖システムは容器本体を接続し、リムの上面を覆わないように、閉鎖システムと容器本体とを接続する工程と、を含む、方法。
Ｒ．方法が、内容物を容器の保管スペースに提供する工程を更に含む、段落Ｑに記載の方法。
Ｓ．内容物を容器の保管スペースに提供する工程が、閉鎖システムと容器本体とを接続する工程の前に生じる、段落Ｑ〜Ｒのいずれか１つに記載の方法。
Ｔ．内容物が、消費者製品、好ましくは家庭用ケア製品、好ましくは洗浄組成物、より好ましくは単位用量物品の形態の洗浄組成物を含む、段落Ｑ〜Ｓのいずれか１つに記載の方法。
Ｕ．容器システムが、容器本体と、容器本体に接続可能な閉鎖システムとを含み、容器本体は、保管スペースと、保管スペースへのアクセスを提供する開口部と、開口部を実質的に取り囲む首部とを有し、閉鎖システムは、閉鎖システムが閉位置にあるときに開口部を覆うようにサイズ決め及び構成され、それによって保管スペースへのアクセスを防止し、閉鎖システムはロックシステムを更に含み、ロックシステムが係合されているときに閉鎖システムは閉位置に保持され、ロックシステムが係合されていないときに閉鎖システムは閉位置から開位置に移動することができ、閉鎖システムが閉位置にあるとき、閉鎖システムの中心から離間している閉鎖システムの外縁部又は末縁部は、容器本体の首の入れ子になっており、閉鎖システムは、保管スペースに単位用量物品を更に備える、段落Ａ〜Ｐのいずれか１つに記載の容器システム。
【００７０】
本明細書で開示する寸法及び値は、列挙された正確な数値に厳密に限られるとして理解されるべきではない。その代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味することが意図される。
【００７１】
相互参照されるか又は関連する全ての特許又は特許出願、及び本願が優先権又はその利益を主張する任意の特許出願又は特許を含む、本明細書に引用される全ての文書は、明示的に除外されるか、又は別途制限されない限り、参照によりその全体が本明細書に組み込まれる。いかなる文献の引用も、本明細書中で開示又は特許請求される任意の発明に対する先行技術であるとはみなされず、あるいはそれを単独で又は他の任意の参考文献と組み合わせたときに、そのような任意の発明を教示、示唆、又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【００７２】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2019534216.tif 000003
【図２】
2019534216.tif 000004
【図３】
2019534216.tif 000005
【図４】
2019534216.tif 000006
【図５】
2019534216.tif 000007
【図６】
2019534216.tif 000008
【図７】
2019534216.tif 000009
【図８】
2019534216.tif 000010
【図９】
2019534216.tif 000011
【図１０】
2019534216.tif 000012
【国際調査報告】
2019534216.tif 000013
2019534216.tif 000014
2019534216.tif 000015